(57)【要約】      （修正有）【課題】撓み、皺、ズレ等が発生して展開された状態のスクリーンシートであっても、それらを調整しながら、綺麗に巻き取って収納することができる画像表示システムを提供する。【解決手段】スクリーン表面が内側となるように軸部材に巻かれて収納され、裏面を板面に貼付しながら展開されるロール式スクリーンシートと、ロール式スクリーンシートの一方端を板面に保持する保持部１３０と、ロール式スクリーンシートが巻かれる軸部材を支持するとともに、当該ロール式スクリーンシートの他方端を保持しつつ板面の上部ガイドレール２１に沿ってスライドさせる支持部１３０と、支持部１３０の上端部と上部ガイドレール２１とを連結する第１の連結部材１４０とを備え、支持部１３０は、板面に対して離れる方向に所定範囲だけ移動可能とする画像表示システム。【選択図】図３
2018116249.tif 000002
【特許請求の範囲】
【請求項１】
プロジェクタから投射される画像を板面に表示する画像表示システムであって、
スクリーン表面が内側となるように軸部材に巻かれて収納され、裏面を前記板面に貼付しながら展開されるロール式スクリーンシートと、
前記ロール式スクリーンシートの一方端を前記板面に保持する保持部と、
前記ロール式スクリーンシートが巻かれる軸部材を支持するとともに、当該ロール式スクリーンシートの他方端を保持しつつ前記板面の上部に配置された上部ガイドレールに沿ってスライドさせる支持部と、
前記支持部の上端部と前記上部ガイドレールとを連結する第１の連結部材とを備え、
前記支持部は、前記板面に対して離れる方向に所定範囲だけ移動可能であることを特徴とする、画像表示システム。
【請求項２】
前記支持部は、前記板面の下部に配置された下部ガイドレールに沿ってスライドするように、当該支持部の下端部と当該下部ガイドレールとを連結する第２の連結部材をさらに備えることを特徴とする、請求項１に記載の画像表示システム。
【請求項３】
前記第１の連結部材は、伸縮性を有することを特徴とする、請求項１または２に記載の画像表示システム。
【請求項４】
前記所定範囲は、前記板面に対して離れる方向に少なくとも１ｃｍ以上であることを特徴とする、請求項１〜３のいずれかに記載の画像表示システム。
【請求項５】
前記所定範囲は、前記板面に対して離れる方向に２〜１０ｃｍであることを特徴とする、請求項４に記載の画像表示システム。
【請求項６】
前記保持部は、略水平方向にスライド移動可能であることを特徴とする、請求項１〜５のいずれかに記載の画像表示システム。
【発明の詳細な説明】
【技術分野】
【０００１】
本発明は、プロジェクタから投射される画像を板面に表示する画像表示システムに関し、より特定的には、板面にスクリーンシートを展開してプロジェクタから投射される画像を表示する画像表示システムに関する。
【背景技術】
【０００２】
一般的に、プロジェクタから投射される画像を表示する方法として、専用のスクリーンに表示したり、ホワイトボードや比較的薄い色の壁面に表示したりする方法がある。
【０００３】
しかし、プロジェクタから投射される画像をホワイトボードや比較的薄い色の壁面に表示すると、専用のスクリーンではないため、当該画像が綺麗に映し出されない場合がある。また、プロジェクタから投射される画像を表示しようとする際に、その都度、専用のスクリーンを準備することは手間が掛かる。
【０００４】
そこで、最近では、マグネットを有するロール式スクリーンシートを黒板に貼付して、当該黒板に展開されたスクリーンシートに、プロジェクタから投射される画像を表示するようなマグネットスクリーンが考案されている（例えば、特許文献１）。
【０００５】
さらに、特許文献２に記載の黒板装置では、ロール式スクリーンシートを収納している収納用第１枠の上下端部と、スクリーンシート先端部保持用第２枠の上下端部とをそれぞれ黒板の上下端部のガイドレールに、スライド可能に取り付けている。特許文献２に記載の黒板装置では、第１枠および第２枠を黒板の上下端部のガイドレールに沿ってスライドさせることによって、簡単にロール式スクリーンシートを展開および収納できるようにしている。
【先行技術文献】
【特許文献】
【０００６】
【特許文献１】実用新案登録第３１９５９０９号公報
【特許文献２】特開２０１４−５８１３５号公報
【発明の概要】
【発明が解決しようとする課題】
【０００７】
しかしながら、特許文献２に記載の黒板装置では、第１枠および第２枠を黒板表面の上下縁枠に設置した上で、上下端部のガイドレールに沿ってスライドさせている。このため、ロール式スクリーンシートを展開する際には、水平方向に真っ直ぐに当該ロール式スクリーンシートを展開させることができるものの、展開されたロール式スクリーンシートに、例えば、撓み、皺、ズレ等が発生していた場合、それらを調整しながら綺麗に巻き取って収納することができないという問題がある。
【０００８】
より具体的には、ロール式スクリーンシートは、経年劣化や自重により撓んだり、皺が発生したりし、黒板表面に綺麗に貼付できず展開されてしまう場合がある。このような状態から、第１枠および第２枠を黒板表面の上下縁枠に設置した上で、上下端部のガイドレールに沿ってスライドさせることによって、ロール式スクリーンシートを巻き取って収納すると、綺麗に巻き取ることができず、また皺が跡形で残るような状態で巻き取られることになる。
【０００９】
それ故に、本発明は、上記のような課題に鑑みてなされたものであって、本発明の目的の１つは、撓み、皺、ズレ等が発生して展開された状態のロール式スクリーンシートであっても、当該撓み、皺、ズレ等を調整しながら、綺麗に巻き取って収納することができる画像表示システムを提供することである。
【課題を解決するための手段】
【００１０】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１１】
本発明の一局面に係る画像表示システムは、プロジェクタから投射される画像を板面に表示する画像表示システムであって、スクリーン表面が内側となるように軸部材に巻かれて収納され、裏面を前記板面に貼付しながら展開されるロール式スクリーンシートと、前記ロール式スクリーンシートの一方端を前記板面に保持する保持部と、前記ロール式スクリーンシートが巻かれる軸部材を支持するとともに、当該ロール式スクリーンシートの他方端を保持しつつ前記板面の上部に配置された上部ガイドレールに沿ってスライドさせる支持部と、前記支持部の上端部と前記上部ガイドレールとを連結する第１の連結部材とを備え、前記支持部は、前記板面に対して離れる方向に所定範囲だけ移動可能であることを特徴とする。
かかる構成により、本発明の一局面に係る画像表示システムは、支持部が板面に対して離れる方向に所定範囲だけ移動可能であるため、撓み、皺、ズレ等が発生して展開された状態のロール式スクリーンシートであっても、当該撓み、皺、ズレ等を調整しながら、綺麗に巻き取って収納することができる。
【００１２】
また、より好ましくは、前記支持部は、前記板面の下部に配置された下部ガイドレールに沿ってスライドするように、当該支持部の下端部と当該下部ガイドレールとを連結する第２の連結部材をさらに備えることを特徴とする。
かかる構成により、本発明の一局面に係る画像表示システムは、支持部の上端部と上部ガイドレールとを連結する第１の連結部材と、さらに支持部の下端部と下部ガイドレールとを連結する第２の連結部材とを備えるため、支持部をより安定してスライドさせることができる。
【００１３】
また、より好ましくは、前記第１の連結部材は、伸縮性を有することを特徴とする。
かかる構成により、本発明の一局面に係る画像表示システムは、第１の連結部材が伸縮性を有するため、支持部が板面に対して離れる方向に所定範囲だけ移動可能であるとともに、支持部が板面に対して離れ過ぎず、より安定してスライドさせることができる。
【００１４】
また、より好ましくは、前記所定範囲は、前記板面に対して離れる方向に少なくとも１ｃｍ以上であることを特徴とする。
かかる構成により、本発明の一局面に係る画像表示システムは、撓み、皺、ズレ等が発生して展開された状態のロール式スクリーンシートであっても、当該撓み、皺、ズレ等が発生している部分についてロール式スクリーンシートを板面から離すことができるため、十分に、当該撓み、皺、ズレ等を調整しながら、綺麗に巻き取って収納することができる。
【００１５】
また、より好ましくは、前記所定範囲は、前記板面に対して離れる方向に２〜１０ｃｍであることを特徴とする。
かかる構成により、本発明の一局面に係る画像表示システムは、撓み、皺、ズレ等が発生して展開された状態のロール式スクリーンシートであっても、当該撓み、皺、ズレ等が発生している部分についてロール式スクリーンシートを板面から離すことができるとともに、支持部が板面に対して離れ過ぎず、安定して支持部を操作することができるため、当該撓み、皺、ズレ等をより容易に調整しながら、綺麗に巻き取って収納することができる。
【００１６】
また、より好ましくは、前記保持部は、略水平方向にスライド移動可能であることを特徴とする。
かかる構成により、本発明の一局面に係る画像表示システムは、板面のうち所望する位置にロール式スクリーンシートを展開することができる。
【発明の効果】
【００１７】
以上のように、本発明によれば、撓み、皺、ズレ等が発生して展開された状態のロール式スクリーンシートであっても、当該撓み、皺、ズレ等を調整しながら、綺麗に巻き取って収納することができる。
【図面の簡単な説明】
【００１８】
【図１】本発明の第１の実施形態に係る画像表示システム１００の全体概要を示す図である。
【図２】支持部１３０が支持する軸部材に巻かれたロール式スクリーンシート１１０を、当該支持部１３０をスライドさせることによって、当該ロール式スクリーンシート１１０を黒板２０に貼付しながら展開する様子を示す図である。
【図３】支持部１３０の上端部と上部ガイドレール２１との連結部分の様子を示す拡大図である。
【図４】支持部１３０の下端部と下部ガイドレール２２との連結部分の様子を示す拡大図である。
【図５】支持部１３０が黒板２０の板面に対して離れる方向に所定範囲だけ移動している様子を示す図である。
【図６】本発明の第２の実施形態に係る画像表示システム２００の全体概要を示す図である。
【発明を実施するための形態】
【００１９】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２０】
＜第１の実施形態＞
図１は、本発明の第１の実施形態に係る画像表示システム１００の全体概要を示す図である。典型的には、画像表示システム１００は、プロジェクタ１０から投射される画像を黒板２０に展開されるロール式スクリーンシート１１０に表示するためのものである。図１（Ａ）は、ロール式スクリーンシート１１０が黒板２０の端部に収納された状態を示しており、図１（Ｂ）は、ロール式スクリーンシート１１０を黒板２０に展開した状態を示している。
【００２１】
図１において、画像表示システム１００は、ロール式スクリーンシート１１０と、保持部１２０と、支持部１３０と、第１の連結部材１４０と、第２の連結部材１５０とを備える。
【００２２】
ロール式スクリーンシート１１０は、スクリーン表面が内側となるように軸部材１３１に巻かれて収納されており、後述する支持部１３０を、黒板２０の上部に横方向に配置された上部ガイドレール２１および下部に横方向に配置された下部ガイドレール２２に沿ってスライドさせることによって、裏面を黒板２０に貼付しながら展開される。
【００２３】
ここで、ロール式スクリーンシート１１０におけるスクリーン表面とは、プロジェクタ１０から投射される画像を映す面であって、概ね白色で構成されており、裏面とは、黒板２０に貼付される面であって、マグネットを有して構成されている。裏面がマグネットを有して構成されることにより黒板２０とは磁力によって吸着されるため、黒板２０に綺麗に展開することができ、さらに、一旦、黒板２０に展開されれば剥がれ難くなっている。
【００２４】
保持部１２０は、黒板２０の端部に固定されており、ロール式スクリーンシート１１０の一方端を保持している。
【００２５】
支持部１３０は、ロール式スクリーンシート１１０の他方端を保持し、ロール式スクリーンシート１１０が巻かれた軸部材１３１を支持している。そして、支持部１３０を黒板２０の上部ガイドレール２１および下部ガイドレール２２に沿ってスライドさせることによって、当該軸部材１３１に巻かれたロール式スクリーンシート１１０を黒板２０に貼付しながら展開する。
【００２６】
図２は、支持部１３０が支持する軸部材１３１に巻かれたロール式スクリーンシート１１０を、当該支持部１３０をスライドさせることによって、当該ロール式スクリーンシート１１０を黒板２０に貼付しながら展開する様子を示す図である。図２において、保持部１２０は、収納部１２１を含み、支持部１３０は、軸部材１３１と、操作部１３２と、固定用マグネット１３３とを含む。
【００２７】
保持部１２０は、黒板２０の端部に固定されており、ロール式スクリーンシート１１０の一方端を保持しており、支持部１３０を保持部１２０に隣接するようにスライドさせると、収納部１２１に軸部材１３１に巻かれたロール式スクリーンシート１１０が収納されるように構成されている。
【００２８】
支持部１３０は、ロール式スクリーンシート１１０の一方端を保持しており、操作部１３２を把持しながら、保持部１２０から離れる方向にスライドされると、軸部材１３１に巻かれているロール式スクリーンシート１１０が黒板２０に貼付されながら展開される。その際、軸部材１３１に巻かれているロール式スクリーンシート１１０は、最外周から順に、黒板２０に磁力によって吸着されながら展開される。このため、軸部材１３１に巻かれているロール式スクリーンシート１１０が黒板２０に貼付されていくに連れて、軸部材１３１は、徐々に黒板２０に近づくことになる。
【００２９】
なお、ロール式スクリーンシート１１０が黒板２０に展開された後、固定用マグネット１３３を黒板２０に配置すれば、支持部１３０が黒板２０に固定されて、黒板２０に貼付されたロール式スクリーンシート１１０の位置をより安定して固定することができる。
【００３０】
ここで、支持部１３０は、黒板２０上をスライドするが、その際、上端部に連結された第１の連結部材１４０が上部ガイドレール２１に沿ってスライドし、下端部に連結された第２の連結部材１５０が下部ガイドレール２２に沿ってスライドする構成となっている。
【００３１】
図３は、支持部１３０の上端部と上部ガイドレール２１との連結部分の様子を示す拡大図である。図３において、第１の連結部材１４０は、上部ガイドレール２１を走行する走行部１４１と、当該走行部１４１と支持部１３０の上端部とを接続する接続部材１４２とを含む。
【００３２】
走行部１４１は、支持部１３０が黒板２０上を安定して滑らかにスライドするように、上部ガイドレール２１に合わせて構成されており、例えば、樹脂、木材、金属等で構成されている。
【００３３】
接続部材１４２は、支持部１３０の上端部と上部ガイドレール２１との距離に応じて、当該距離よりも所定の長さだけ長いもので構成する。例えば、図３に示すように、接続部材１４２の一部に紐を用いて構成されている場合、支持部１３０の上端部と上部ガイドレール２１との間において、若干紐が弛む程度に構成されることが好ましい。
【００３４】
次に、第２の連結部材１５０について説明する。
図４は、支持部１３０の下端部と下部ガイドレール２２との連結部分の様子を示す拡大図である。図４において、第２の連結部材１５０は、下部ガイドレール２２を走行する走行部１５１と、当該走行部１５１と支持部１３０の下端部とを接続する接続部材１５２とを含む。
【００３５】
走行部１５１は、支持部１３０が黒板２０上を安定して滑らかにスライドするように、下部ガイドレール２２に合わせて構成されており、例えば、樹脂、木材、金属等で構成されれば良いが、上記第１の連結部材１４０における走行部１４１とは異なり、支持部１３０の重さに耐え得る強度を有していることが好ましい。
【００３６】
接続部材１４２は、支持部１３０の下端部と下部ガイドレール２２との距離に応じて、当該距離よりも所定の長さだけ長いもので構成する。例えば、図４に示すように、接続部材１５２の一部に紐を用いて構成されている場合、支持部１３０の下端部と下部ガイドレール２２との間において、若干紐が弛む程度に構成されることが好ましい。
【００３７】
このように、図３および図４に示したように、第１の連結部材１４０および第２の連結部材１５０における紐（接続部材１４２および接続部材１５２）を若干弛む程度に構成しているため、支持部１３０は、黒板２０の板面に対して離れる方向に所定範囲だけ移動可能となっている。
【００３８】
図５は、支持部１３０が黒板２０の板面に対して離れる方向に所定範囲だけ移動している様子を示す図である。図５において、第１の連結部材１４０および第２の連結部材１５０における紐（接続部材１４２および接続部材１５２）が弛んでいた分、支持部１３０が黒板２０の板面に対して離れる方向に移動可能となっている。
【００３９】
支持部１３０が黒板２０の板面に対して離れる方向に移動することより、黒板２０に貼付され展開されていたロール式スクリーンシート１１０も黒板２０から剥がれるようになる。
【００４０】
例えば、ロール式スクリーンシート１１０が経年劣化や自重により撓んだり、皺が発生したりし、黒板２０に綺麗に貼付できず展開されてしまう場合がある。このような状態であっても、支持部１３０が黒板２０の板面に対して離れる方向に移動することより、黒板２０に貼付され展開されていたロール式スクリーンシート１１０を黒板２０から剥がし、当該撓み、皺、ズレ等を調整しながら、ロール式スクリーンシート１１０を綺麗に巻き取って収納することができる。
【００４１】
また、支持部１３０は、第１の連結部材１４０および第２の連結部材１５０によって上部ガイドレール２１および下部ガイドレール２２に連結されており、黒板２０に対して完全に自由になっているわけではない。支持部１３０の上下端において、黒板２０に配置されている上部ガイドレール２１および下部ガイドレール２２に嵌っているため、支持部１３０を安定してスライドさせることができる。
【００４２】
換言すれば、第１の連結部材１４０および第２の連結部材１５０は、支持部１３０を容易にスライドできるように構成されているとともに、上述したようにロール式スクリーンシート１１０を綺麗に巻き取って収納できるために、支持部１３０を黒板２０に対して離れる方向に所定範囲だけ移動可能としている。
【００４３】
ここで、黒板２０に貼付され展開されているロール式スクリーンシート１１０と黒板２０とは磁力によって吸着されていることから、当該ロール式スクリーンシート１１０を黒板２０から剥がし、当該撓み、皺、ズレ等を調整しながら、綺麗に巻き取るには、所定範囲は、黒板２０の板面に対して離れる方向に少なくとも１ｃｍ以上である必要がある。
【００４４】
さらに、ロール式スクリーンシート１１０は、黒板２０に用いる面積の大きいものであるため、それに用いられるマグネットの磁力も相当程度大きい。このような磁力の大きさを鑑みると、所定範囲は、黒板２０の板面に対して離れる方向に２〜１０ｃｍ程度であることが好ましいが、上記面積および磁力に応じて適切に設定すればよい。
【００４５】
また、第１の連結部材１４０および第２の連結部材１５０には、伸縮性を有する、例えば、バネ（コイルバネ、板バネ）やゴム等を含むように構成されても構わない。上述したように紐でなく、例えば、コイルバネを用いた場合、当該コイルバネによって支持部１３０は、黒板２０の板面に対して張引された状態となる。
【００４６】
このようにすれば、支持部１３０が黒板２０に対して離れる方向に所定範囲だけ移動可能な構成とすることができるとともに、支持部１３０の位置をより安定させることができる。また、支持部１３０が黒板２０の板面に対して張引されていることから、ロール式スクリーンシート１１０を黒板２０に貼付しながら展開する際に、ロール式スクリーンシート１１０と黒板２０との間に隙間ができることもなくなり、空気が入ったり、撓み、皺、ズレ等が発生したりし難くなる。
【００４７】
以上のように、本発明の第１の実施形態に係る画像表示システム１００によれば、撓み、皺、ズレ等が発生して展開された状態のロール式スクリーンシート１１０であっても、当該撓み、皺、ズレ等を調整しながら、綺麗に巻き取って収納することができる。
【００４８】
なお、本実施形態においては、画像表示システム１００は第２の連結部材１５０を含む構成として説明したが、第２の連結部材１５０を含まない構成であっても構わない。支持部１３０の下端部と下部ガイドレール２２とが連結されていなくても、少なくとも第１の連結部材１４０によって支持部１３０の上端部と上部ガイドレール２１とが連結されていれば、支持部１３０を概ね水平にスライドさせることができ、支持部１３０が黒板２０から大きく離れて外れることを防止することができる。
【００４９】
＜第２の実施形態＞
図６は、本発明の第２の実施形態に係る画像表示システム２００の全体概要を示す図である。図６において、画像表示システム２００は、保持部１２０が水平方向にスライド移動可能である点が本発明の第１の実施形態に係る画像表示システム１００と異なっている。
【００５０】
保持部１２０が水平方向にスライド移動可能であることにより、画像表示システム２００は、本発明の第１の実施形態に係る画像表示システム１００に加えて、さらに、黒板２０のうち所望する位置にロール式スクリーンシート１１０を展開することができるという効果を奏する。
【００５１】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００５２】
本発明は、黒板等に貼付するスクリーンシート等に利用可能であって、特に、プロジェクタから投射される画像を黒板等に表示する画像表示システム等に有用である。
【符号の説明】
【００５３】
１０    プロジェクタ
２０    黒板
２１、２２    ガイドレール
１００、２００  画像表示システム
１１０  ロール式スクリーンシート
１２０  保持部
１３０  支持部
１３１  軸部材
１３２  操作部
１３３  固定用マグネット
１４０、１５０  連結部材
１４１、１５１  走行部
１４２、１５２  接続部材
【図１】
2018116249.tif 000003
【図２】
2018116249.tif 000004
【図３】
2018116249.tif 000005
【図４】
2018116249.tif 000006
【図５】
2018116249.tif 000007
【図６】
2018116249.tif 000008